(57)【要約】      （修正有） 【課題】３５〜６０℃の安定した表面温度を維持すると共にウエストに適切な温湿布効果を提供する電熱ウエストベルトの構造を提供する。【解決手段】電熱ウエストベルトの構造改良において、複数枚の厚さがそれぞれ０．３mm±０．０５mmのポリ塩化ビニルで構成された表面層が、少なくとも２枚の厚さが３〜８mmで、密度が１８kg/m3のポリウレタンフォームで構成されたパッド、面ファスナー、電源制御器及び電熱線と少なくとも２枚の多孔電熱表層を含む電熱層に被覆されることで構成され、該電熱線が多孔電熱表層の間に被覆され、また、外部の電源制御器に電気的に接続されて、二層構造を形成し、該1枚のパッドの内側に金属箔片が貼付され、別のパッド内側に更に複数枚の脇パッドを設置し、該電熱層を上記パッドの内部に前後から被覆し、更に表面層で前後から被覆すると共に一体に縫い合わせる。【選択図】図２
0003118584.tif 000002
【実用新案登録請求の範囲】
【請求項１】
電熱ウエストベルトの構造改良において、複数枚の適切な材質で製造した表面層は、少なくとも2枚のポリウレタンフォーム（polyurethane foam、 PU foam）で製造されたパッド、面ファスナー、電源制御器、及び、電熱層に被覆されることで構成され、
該面ファスナーは、表面層の両側に設置され、電熱ウエストベルトを包み込むと共に相互を粘着固定することに用いることができ、
該電熱層には、電熱線及び少なくとも2枚の多孔電熱表層を含み、該電熱線が多孔電熱表層の間に被覆され、また、外部の電源制御器に電気的に接続されて、二層構造を形成し、
該電源制御器は、外部の電源と接続することができ、その一端が該電熱線上に接続し、
上記構造を介し、該電熱層を該複数枚パッドの内部に前後から被覆し、更に表面層で前後から被覆すると共に一体の電熱ウエストベルト構造に縫い合わせることを特徴する、電熱ウエストベルトの構造改良。
【請求項２】
請求項１記載の電熱ウエストベルトの構造改良において、その表面層が2枚の厚さがそれぞれ0.3mm±0.05mmのポリ塩化ビニル（polyvinyl chloride、 PVC）で構成されることを特徴とする、電熱ウエストベルトの構造改良。
【請求項３】
請求項１記載の電熱ウエストベルトの構造改良において、そのパッドの厚さが3~8mmで、密度が18kg/m3のポリウレタンフォーム（polyurethane  foam、 PU foam）で構成されることを特徴とする、電熱ウエストベルトの構造改良。
【請求項４】
請求項１記載の電熱ウエストベルトの構造改良において、その1枚のパッドの脇内縁に金属箔片を貼付することを特徴とする、電熱ウエストベルトの構造改良。
【請求項５】
請求項１記載の電熱ウエストベルトの構造改良において、そのもう1枚のパッドの脇内縁に更に複数枚の脇パッドを設置することを特徴とする、電熱ウエストベルトの構造改良。
【請求項６】
請求項５記載の電熱ウエストベルトの構造改良において、その脇パッドの厚さが2~6mmのポリウレタンフォーム（polyurethane foam、PU foam）で構成されることを特徴とする、電熱ウエストベルトの構造改良。
【請求項７】
請求項１記載の電熱ウエストベルトの構造改良において、その電源制御器は、力率調整器、電源コード、及び、電源表示灯を含むことを特徴とする、電熱ウエストベルトの構造改良。
【請求項８】
請求項７記載の電熱ウエストベルトの構造改良において、該力率調整器は、10~50ワット（Watt）の力率出力を調整できることを特徴とする、電熱ウエストベルトの構造改良。
【請求項９】
請求項１記載の電熱ウエストベルトの構造改良において、その電熱線は、自動温度調節器を取り付けることで、電熱線の最大温度の上限を制御することができることを特徴とする、電熱ウエストベルトの構造改良。
【請求項１０】
請求項９記載の電熱ウエストベルトの構造改良において、その自動温度調節器の既定温度の上限を85℃とすることを特徴とする、電熱ウエストベルトの構造改良。
【考案の詳細な説明】
【技術分野】
【０００１】
本考案は、電熱ウエストベルトの構造改良に関り、特に電熱ウエストベルトの表面層を設定によって35〜60℃の安定した表面温度に維持させることで、ウエストに適切な温湿布効果を提供する電熱ウエストベルトの構造に関する。
【背景技術】
【０００２】
ウエストに温湿布効果を提供できる従来のウエストベルトの構造は、簡単な構造で電熱線をその内部に被覆し、通電後に温度を発生してウエストに温湿布効果を提供させるが、往々にしてその構造が粗雑なため、容易にウエストベルト全体の温度が不均一に拡散してしまい、良く該受熱部位が温まらない、或いはその他の部位に過熱現象が起き、さらには、ウエストベルト外縁の保護効果が欠落しているため、ウエストベルトの過熱によって皮膚に火傷現象が生じてしまう。
【０００３】
また従来のウエストベルトの全体構造は、ほとんど簡易なポリウレタンフォームで電熱線を被覆することで断熱効果を達成してきた。これにより構造上のポリウレタンフォームの長期使用により、且つ長時間直接受熱するため、ポリウレタンフォームが容易に脆化現象を起こし、最終的に電熱線と人体の皮膚の接觸がウエストベルト外縁のPVC材質に頼るだけとなってしまい、使用上更に危険が増すことになる。
【考案の開示】
【考案が解決しようとする課題】
【０００４】
上記の従来の技術の欠点を鑑み、本考案の主な目的は、操作が便利で安全、且つ電熱ウエストベルトの表面層を設定によって35〜60℃の安定した表面温度に維持させることで、ウエストに適切な温湿布効果を提供する電熱ウエストベルトの構造を提供することにある。
【課題を解決するための手段】
【０００５】
上記の目的を達成するため、本考案は、以下の技術手段をとることで達成することができ、本考案は電熱機能の健康ウエストベルトの構造改良を提供することに関り、それは、複数枚の厚さがそれぞれ0.3mm±0.05mmのポリ塩化ビニル（polyvinyl chloride、 PVC）で構成された表面層が、少なくとも2枚の厚さが3〜8mmで、密度が18kg/m3のポリウレタンフォーム（polyurethane foam、PU foam）で構成されたパッド、面ファスナー、電源制御器及び電熱層に被覆されることで構成される。
【０００６】
該面ファスナーは、表面層の両側に設置され、電熱ウエストベルトを包み込むと共に相互を粘着固定することに用いることができる。
【０００７】
該電熱層には、電熱線及び少なくとも2枚の多孔電熱表層を含み、該電熱線が多孔電熱表層の間に被覆され、また、外部の電源制御器に電気的に接続されて、二層構造を形成し、その電熱線に自動温度調節器を設置することができ、該自動温度調節器の温度上限を85℃と既定し、既定温度の上限を超えた時に自動的に電源切れることで、火傷事故が起きることを避ける。電熱層内の多孔電熱表層は、電力の消耗を節約するため電熱線から発生する熱量を直接出力することができ、その他、パッド上の金属箔片も電熱線から発生する熱量を反射並びにスピーディーに伝導することで、温度の上昇を迅速且つ均一に分布させるので、温度の不均一によって一部分で過熱現象が起きることを避けることができる。
【０００８】
該電源制御器は、力率調整器、電源コード及び電源表示灯を含んで、外部の電源と接続することができ、その一端が該電熱線上に接続されて、電熱ウエストベルトの力率出力を調整することで、電熱ウエストベルトを適切で且つ快適な温度に調節させることができることに用いる。
【０００９】
上記パッドのいずれかの脇内に金属箔片を貼付し、電熱層から発生した熱量を反射及びスピーディーに伝導し、熱さが電熱ウエストベルトの各部位にスピーディーに熱伝導し、且つ温度を均一に分布させることで、部分的位置に対する加熱が速すぎることで過熱することを避けることできる。もう1枚のパッドの脇内縁に更に複数枚の脇パッドを設置し、組み合わせ時において該パッドと電熱層間の適切な位置に挟みこんで、身体のウエスト脇の保護を強化することに提供される。
【００１０】
上記構造を介することで、該電熱層を該複数枚パッドの内部に前後から被覆し、更に表面層で前後から被覆すると共に一体の電熱ウエストベルト構造を縫い合わせ、電源コードを電源に差し込むだけで、電源制御器上の力率調整器で10〜50ワット（Watt）の力率出力を調整することができ、電熱ウエストベルトの表面層を設定によって35〜60℃の安定した表面温度に維持させることで、ウエストに適切な温湿布効果を提供する。
【実施例】
【００１１】
以下に図面を組み合わせることで更に一歩進んで本考案の電熱ウエストベルトの構造改良部分の好ましい実施例を説明する。
【００１２】
図１を見ると、本考案の好ましい実施例の一つで、電熱ウエストベルト1である。本考案の電熱ウエストベルト1は、身体ウエストに包み込むことで、電力から適切な熱さの提供によって温湿布効果を達することができる。該電熱ウエストベルト1には、主に表面層2、面ファスナー3及び電源制御器4を含む。該表面層2は、2枚の厚さ0.3mm±0.05mmのポリ塩化ビニル（PVC）で構成され、該面ファスナー3には一組の面ファスナー（Velcro）の留め具を含み、該電源制御器4は電源を制御するため電熱ウエストベルト1から延伸している。
【００１３】
図２は、本考案の立体分解図である。該電熱ウエストベルト1は、さらに一歩進んでパッド5、2枚の脇パッド7及び電熱層6を含む。該電熱層6は、2枚パッド5の間に設置され、該パッド5は電熱層6の側面にアルミ箔片51を貼付し、該脇パッド7がパッド5と電熱層6間の適切な位置に設置されることで、身体ウエスト脇の保護を強化するために提供される。パッド5は、厚さが5mmで、密度が18kg/m3のポリウレタンフォーム（PU foam）で構成されている。脇パッド7も同様にポリウレタンフォーム（PU foam）で構成され、その厚さが3mmである。該アルミ箔片51は、電熱層から発生した熱量を反射及びスピーディーに伝導し、熱さが電熱ウエストベルト１の各部位にスピーディーに熱伝導し、且つ温度を均一に分布させることで、部分的位置に対する加熱が速すぎることで過熱することを避けることできる。該電源制御器（図２に表示していない）を電熱層6に接続することでその力率出力を制御する。最終的に表面層2でパッド5外側を被覆して完全な電熱ウエストベルト1として縫い合わせる。
【００１４】
さらに一歩進んで図３を見ると、電熱層6は、二層構造で組成され、電熱線61及び2枚の多孔電熱表層62を含む。電熱線61は、2枚の多孔電熱表層62の間に設置され、自動温度調節器611（図２に示すとおり）を含み、自動温度調節器611を電熱ウエストベルト1の温度を安定させることに用い、電熱ウエストベルト1が既定の温度上限を超えることを避ける。電源制御器4には、力率調整器41、電源コード42及び電源表示灯43を含む。該力率調整器41は、電熱層6の力率出力を調整でき、電熱ウエストベルト1を適切な温度に調節する。電源コード42は、壁に取り付けてある一般コンセントの電源に接続することに用いる。電源表示灯43は、電熱ウエストベルト1の電源のオンオフ或いは操作状態を示すことに用いる。
【００１５】
上記は、本考案を説明するためのみ好ましい実施例であり、本考案の実施範囲はこれに限定されることが無く、本考案の実用新案登録請求の範囲内に捉われることなく各種の変化と修飾を行うことにより、この変化と修飾もまた本考案の保護範疇に属するものとする。
【図面の簡単な説明】
【００１６】
【図１】本考案を利用した立体外観見取図である。
【図２】本考案の立体分解図である。
【図３】本考案の立体分解断面図である。
【符号の説明】
【００１７】
1  電熱ウエストベルト
2  表面層
3  面ファスナー
4  電源制御器
41  力率調整器
42 電源コード
43 電源表示灯
5  パッド
51  アルミ箔片
6  電熱層
61  電熱線
611 自動温度調節器
62  多孔電熱表層
7  脇パッド
【図１】
0003118584.tif 000003
【図２】
0003118584.tif 000004
【図３】
0003118584.tif 000005